(57)【要約】  メインフレームの内側に他の部品のためのスペースを設けるとともに、油圧ユニットに外部からの衝撃が加わり難いようにすることができる自動二輪車を提供する。自動二輪車１は、ハンドル６の車体に対する回動軸を軸支するヘッドパイプ(5)と、ヘッドパイプ(5)から車両前後方向に延びる左右一対のメインフレーム(9)と、左右一対のメインフレーム(9)の何れか一方に取り付けられる油圧ユニット(50)とを備え、左右一対のメインフレーム(9)は、ヘッドパイプ(5)から当該メインフレーム(9)の最大幅領域(9a)に向けて斜め後方に拡がるような拡幅領域(9b)を有し、油圧ユニット(50)は、メインフレーム(9)の外側かつ拡幅領域(9b)に取り付けられる。
2015079478.tif 000002
【特許請求の範囲】
【請求項１】
ハンドルの車体に対する回動軸を軸支するヘッドパイプと、
前記ヘッドパイプから車両前後方向に延びる左右一対のメインフレームと、
前記左右一対のメインフレームの何れか一方に取り付けられる油圧ユニットとを備え、
前記左右一対のメインフレームは、前記ヘッドパイプから当該メインフレームの最大幅領域に向けて斜め後方に拡がるような拡幅領域を有し、
前記油圧ユニットは、前記メインフレームの外側かつ前記拡幅領域に取り付けられる、自動二輪車。
【請求項２】
前記油圧ユニットは、全体または重心が、前記最大幅領域の外縁に沿って車両前後方向に延びる仮想線よりも内側の配置空間内に位置するように配置される、請求項１に記載の自動二輪車。
【請求項３】
前記油圧ユニットは、油圧配管を接続する接続ポートを備え、
前記接続ポートは、前記最大幅領域の外縁に沿って車両前後方向に延びる仮想線よりも内側の配置空間内に位置するように配置される、請求項１または２に記載の自動二輪車。
【請求項４】
前記油圧ユニットは、前記拡幅領域のうち、前記ハンドルと前輪との間に設けられるフロントフォークの前記回動軸回りの回動軌跡より径方向外側に設けられる、請求項１から３の何れかに記載の自動二輪車。
【請求項５】
前記油圧ユニットは、平面視において、直進走行時におけるハンドルとオーバーラップする位置に配置され、前記ハンドルより下方に間隔を空けて配置される、請求項１から４の何れかに記載の自動二輪車。
【請求項６】
前記左右一対のメインフレームのうちの少なくとも一方には、車幅方向に貫通する貫通孔が設けられ、
前記油圧ユニットに接続される油圧配管は、前記左右一対のメインフレームの外側から前記貫通孔を通じて前記左右一対のメインフレームの間に導入されるように配置される、請求項１から５の何れかに記載の自動二輪車。
【請求項７】
冷却水を冷却するためのラジエータを備え、
前記油圧ユニットは、前記ラジエータより上方に位置する、請求項１から６の何れかに記載の自動二輪車。
【請求項８】
車輪を構成するホイールに相対回転不能に固定されたブレーキディスクと、前記車輪の速度を検出し、前記油圧ユニットに伝達するための車速センサユニットとを備え、
前記油圧ユニットは、前記車速センサユニットからの信号に応じて制動力を制御するよう構成され、
前記車速センサユニットは、
前記車輪を軸支する車両本体側に固定される車速センサ本体と、
前記ホイールに相対回転不能に固定された車速センサ用ロータ板とを有し、
前記ブレーキディスクと車速センサ用ロータ板とは、前記車輪の回転軸の周方向全域にわたって径方向に離間して配置される、請求項１〜７の何れかに記載の自動二輪車。
【発明の詳細な説明】
【技術分野】
【０００１】
本発明は、ＡＢＳユニット等の油圧ユニットを備えた自動二輪車に関する。
【背景技術】
【０００２】
自動二輪車においてＡＢＳ装置等のブレーキを電気的に制御して制動支援する電動制御装置が公知となっている。このような電動制御装置は、ブレーキへの作動油圧を電気的に制御する油圧ユニットを有している。特許文献１には、油圧ユニットの配置例が示されている。特許文献１の構成によれば、油圧ユニットは、ヘッドパイプより後方かつメインフレームの外側で、フロントカウルの最大拡幅部分に配置される。
【先行技術文献】
【特許文献】
【０００３】
【特許文献１】特許第４６８０１６２号公報
【発明の概要】
【発明が解決しようとする課題】
【０００４】
しかし、上記構成においては、油圧ユニットがメインフレームにおける最大幅領域より外側に位置するため、転倒時に外部からの衝撃を受けやすい問題がある。これに関して、上記特許文献１においては、別途保護フレームを設けることにより、油圧ユニットを保護している。このように、メインフレームの外側に別途保護フレームを設けると、フレームとフロントカウルとの間の間隙を大きくする必要があり、自動二輪車が大型化してしまう。【０００５】
本発明は、以上のような課題を解決すべくなされたものであり、メインフレームの内側に他の部品のためのスペースを設けるとともに、油圧ユニットに外部からの衝撃が加わり難いようにすることができる自動二輪車を提供することを目的とする。
【課題を解決するための手段】
【０００６】
本発明の一態様に係る自動二輪車は、ハンドルの車体に対する回動軸を軸支するヘッドパイプと、前記ヘッドパイプから車両前後方向に延びる左右一対のメインフレームと、前記左右一対のメインフレームの何れか一方に取り付けられる油圧ユニットとを備え、前記左右一対のメインフレームは、前記ヘッドパイプから当該メインフレームの最大幅領域に向けて斜め後方に拡がるような拡幅領域を有し、前記油圧ユニットは、前記メインフレームの外側かつ前記拡幅領域に取り付けられる。【０００７】
上記構成によれば、メインフレームの内側に他部品のためのスペースを設けるとともに、油圧ユニットを外部からの衝撃が加わり難いように配置することができる。【０００８】
前記油圧ユニットは、全体または重心が、前記最大幅領域の外縁に沿って車両前後方向に延びる仮想線よりも内側の配置空間内に位置するように配置されてもよい。この構成によれば、油圧ユニットに外部からの衝撃が加わり難くすることができる。【０００９】
前記油圧ユニットは、油圧配管を接続する接続ポートを備え、前記接続ポートは、前記最大幅領域の外縁に沿って車両前後方向に延びる仮想線よりも内側の配置空間内に位置するように配置されてもよい。この構成によれば、油圧ユニットの接続ポートに外部からの衝撃が加わり難くすることができる。【００１０】
前記油圧ユニットは、前記拡幅領域のうち、前記ハンドルと前輪との間に設けられるフロントフォークの前記回動軸回りの回動軌跡より径方向外側に設けられてもよい。この構成によれば、ハンドルの切れ角が油圧ユニットによって制限されないようにすることができる。【００１１】
前記油圧ユニットは、平面視において、直進走行時におけるハンドルとオーバーラップする位置に配置され、前記ハンドルより下方に間隔を空けて配置されてもよい。この構成によれば、ハンドルの回動を妨げることなく、油圧ユニットをヘッドパイプに近づけることができる。これにより、油圧ユニットをなるべく自動二輪車の車幅方向中央に配置することができる。【００１２】
前記左右一対のメインフレームのうちの少なくとも一方には、車幅方向に貫通する貫通孔が設けられ、前記油圧ユニットに接続される油圧配管は、前記左右一対のメインフレームの外側から前記貫通孔を通じて前記左右一対のメインフレームの間に導入されるように配置されてもよい。この構成によれば、油圧配管をメインフレーム間に導入することにより、油圧配管を保護することができる。また、油圧配管をメインフレームの上方または下方に配設する必要がないため、油圧配管の長さを短くすることができ、油圧配管の湾曲も小さくすることができる。【００１３】
前記自動二輪車は、冷却水を冷却するためのラジエータを備え、前記油圧ユニットは、前記ラジエータより上方に位置してもよい。この構成によれば、油圧ユニットをラジエータの前後方向を避けて配置することにより、ラジエータで発生する熱の影響を受け難くすることができる。【００１４】
前記自動二輪車は、車輪を構成するホイールに相対回転不能に固定されたブレーキディスクと、前記車輪の速度を検出し、前記油圧ユニットに伝達するための車速センサユニットとを備え、前記油圧ユニットは、前記車速センサユニットからの信号に応じて制動力を制御するよう構成され、前記車速センサユニットは、前記車輪を軸支する車両本体側に固定される車速センサ本体と、前記ホイールに相対回転不能に固定された車速センサ用ロータ板とを有し、前記ブレーキディスクと車速センサ用ロータ板とは、前記車輪の回転軸の周方向全域にわたって径方向に離間して配置されてもよい。この構成によれば、ブレーキディスクとロータ板とが直接接触しない。このため、ブレーキディスクで生じる摩擦熱をロータ板に伝わり難くすることができる。したがって、車速の測定を行うロータ板の熱による膨張や歪みを防止することにより、熱による車速計測精度の悪化を防止することができる。【００１５】
本発明の上記目的、他の目的、特徴、および利点は、添付図面参照の下、以下の好適な実施態様の詳細な説明から明らかにされる。
【発明の効果】
【００１６】
本発明は以上に説明したように構成され、メインフレームの内側に他の部品のためのスペースを設けるとともに、油圧ユニットに外部からの衝撃が加わり難いようにすることができるという効果を奏する。
【図面の簡単な説明】
【００１７】
【図１】図１は本発明の一実施形態に係る自動二輪車を示す右側面図である。
【図２】図２は本実施形態における自動二輪車のハンドル近傍の概略配置例を示す部分平面図である。
【図３】図３は本実施形態における自動二輪車のハンドル近傍の概略配置例を示す部分右側面図である。
【図４】図４は本実施形態における自動二輪車の油圧ユニットとフロントフォークの回動軌跡との関係を示す部分平面図である。
【図５】図５は本実施形態における自動二輪車の前輪周辺を示す部分側面図である。
【発明を実施するための形態】
【００１８】
以下、本発明の実施の形態を、図面を参照しながら説明する。なお、以下では全ての図を通じて同一または相当する要素には同一の参照符号を付して、その重複する説明を省略する。また、以下の説明で用いる方向の概念は、自動二輪車に騎乗した運転者から見た方向を規準とする。
【００１９】
図１は本発明の一実施形態に係る自動二輪車を示す右側面図である。図１に示すように、自動二輪車１は、路面上を転動する前輪２および後輪３を備えている。後輪３が駆動輪であり、前輪２が従動輪である。前輪２は略上下方向に延びるフロントフォーク４の下端部にて回転自在に支持されている。本実施形態において、前輪２は左右一対のフロントフォーク４により支持されている。フロントフォーク４は、その上端部に設けられたアッパーブラケット（図示せず）と該アッパーブラケットの下方に設けられたアンダーブラケット（図示せず）とを介してステアリングシャフト（図示せず）に支持されている。該ステアリングシャフトは、ヘッドパイプ５によって回転自在に支持されている。アッパーブラケットには、左右へ延びるバー型のハンドル６が取り付けられている。前輪２の左右両側には前輪ブレーキディスク３６Ａが固定されている。フロントフォーク４の下端部には、前輪ブレーキキャリパ３６Ｂが支持されている。前輪ブレーキディスク３６Ａおよび前輪ブレーキキャリパ３６Ｂは、前輪ブレーキ３６を構成し、前輪ブレーキキャリパ３６Ｂのピストン（図示せず）が油圧により前輪ブレーキディスク３６Ａに押し付けられることによりブレーキ力を発生させる。
【００２０】
ハンドル６の運転者の右手により把持される部分に設けられたスロットルグリップ７は、スロットル装置（図示せず）を操作するためのスロットル入力手段である。スロットルグリップの前方には主に前輪ブレーキ３６を作動させるブレーキレバー５９が設けられている。ハンドル６の左手グリップの前方にはクラッチレバー８（図２参照）が設けられている。運転者は、ハンドル６を回動操作することにより、ステアリングシャフトを回転軸として前輪２を所望の方向へ転向させることができる。
【００２１】
ヘッドパイプ５からは左右一対のメインフレーム９が下方に傾斜しながら後方へ延びている。左右一対のメインフレーム９の何れか一方（本実施形態においては右側のメインフレーム９）には、油圧ユニット５０が取り付けられている。油圧ユニット５０は、自動二輪車１の前方を部分的に覆うフロントカウル１５内に配設される。
【００２２】
メインフレーム９の後部に左右一対のピボットフレーム１０が接続されている。該ピボットフレーム１０には、略前後方向に延びるスイングアーム１１の前端部が枢支されており、該スイングアーム１１の後端部に後輪３が回転自在に軸支されている。ハンドル６の後方には燃料タンク１２が設けられており、該燃料タンク１２の後方に運転者騎乗用のシート１３が設けられている。後輪３の右側には後輪ブレーキディスク３８Ａが固定されている。スイングアーム１１の後端部には、後輪ブレーキキャリパ３８Ｂが支持されている。後輪ブレーキディスク３８Ａおよび後輪ブレーキキャリパ３８Ｂは、後輪ブレーキ３８を構成し、後輪ブレーキキャリパ３８Ｂのピストン（図示せず）が油圧により後輪ブレーキディスク３８Ａに押し付けられることによりブレーキ力を発生させる。シート１３の下方かつ左右両側には、運転者が足を載せるステップ８０が設けられている。右側のステップ８０には、前方へ延びるブレーキペダル６０が軸支されており、運転者が足で踏み込むことにより、主に後輪ブレーキ３８を作動させることができる。
【００２３】
前輪２と後輪３との間には、エンジンＥがメインフレーム９およびピボットフレーム１０に支持された状態で搭載されている。図１には、エンジンＥとして並列四気筒エンジンが例示されている。エンジンＥの出力軸には変速装置（図示せず）が接続されており、この変速装置から出力される駆動力がチェーン（図示せず）を介して後輪３に伝達される。エンジンＥの吸気ポートにはメインフレーム９の内側に配置されたスロットル装置が接続されている。スロットル装置の上流側には燃料タンク１２の下方に配置されたエアクリーナが接続されている。また、シート１３の下方の内部空間には、スロットル装置、点火装置、燃料噴射装置等を制御するエンジン制御装置であるエンジンＥＣＵ(Electric Control Unit、図示せず)および点火装置、インジェクタ、エンジンＥＣＵ等に電力を供給するバッテリ（図示せず）が収容されている。
【００２４】
本実施形態の自動二輪車１は、アンチロックブレーキシステム（Anti-lock Breaking System）として機能するアンチロック動作部および連動ブレーキシステム（Combined Breaking System）として機能する連動制動部を有する電動ブレーキ装置を備えている。電動ブレーキ装置は、電動制動用ＥＣＵ（図示せず）を有している。電動制動用ＥＣＵは、油圧ユニット５０内に設けられる。電動制動用ＥＣＵには、前輪２の回転数から前輪車速を検出する前輪車速センサユニット３４（後述する図５参照）と、後輪３の回転数から後輪車速を検出する後輪車速センサユニット（図示せず）とが接続されている。油圧ユニット５０は、車速センサユニットからの信号に応じて制動力を制御するよう構成されている。
【００２５】
油圧ユニット５０は、制動モータに接続された前輪側オイルポンプおよび後輪側オイルポンプを備えている。前輪側オイルポンプと、前輪ブレーキキャリパ３６Ｂおよびブレーキレバー５９の操作量を油圧に変換する前輪側ブレーキマスタシリンダとの間には、作動油圧を伝達可能な前輪側油圧配管が形成されている。同様に、後輪側オイルポンプと、後輪ブレーキキャリパ３８Ｂおよびブレーキペダル６０の操作量を油圧に変換する後輪側ブレーキマスタシリンダとの間には、作動油圧を伝達可能な後輪側油圧配管が形成されている。制動モータが電動制動用ＥＣＵによって制御されることにより前輪側オイルポンプおよび後輪側オイルポンプから吐出される作動油圧がそれぞれ調整される。これにより、前輪２および後輪３の制動力が同時に制御可能である。なお、油圧ユニット５０の制御動作は、特に限定されず、本実施形態において説明した以外の制御動作が行われるものであってもよい。
【００２６】
本実施形態においては、電動制動用ＥＣＵ、制動モータ、各オイルポンプ、電動制動用ＥＣＵにより制御される各コントロールバルブ等が油圧ユニット５０を構成している。
【００２７】
以下、油圧ユニット５０の配置態様についてより具体的に説明する。図２は本実施形態における自動二輪車のハンドル近傍の概略配置例を示す部分平面図である。また、図３は本実施形態における自動二輪車のハンドル近傍の概略配置例を示す部分右側面図である。また、図４は本実施形態における自動二輪車の油圧ユニットとフロントフォークの回動軌跡との関係を示す部分平面図である。図２、図３および図４には以下で説明する主要な構成要素以外の構成は図示を省略している。
【００２８】
左右一対のメインフレーム９は、ヘッドパイプ５から当該メインフレーム９の最大幅領域９ａに向けて斜め後方に拡がるような拡幅領域９ｂを有している。油圧ユニット５０は、メインフレーム９の外側かつ拡幅領域９ｂに取り付けられている。
【００２９】
この構成によれば、油圧ユニット５０がヘッドパイプ５の後方かつメインフレーム９の最大幅領域９ａより車幅方向内方においてメインフレーム９の外側に取り付けられる。このため、メインフレーム９の内側およびシート１３の下方に他部品のためのスペースを設けることができる。また、拡幅領域９ｂに油圧ユニット５０が取り付けられることにより、油圧ユニット５０がメインフレーム９の外側に突出する量を抑えることができる。これにより、転倒時等において、油圧ユニット５０よりも先にフレームが障害物に接触し易くなるため、油圧ユニット５０に外部からの衝撃が加わり難いように配置することができる。特に、ハンドル６が何れかの方向に最大限傾いた状態で転倒しても、フロントカウル１５を介して地面と接触しないような位置に油圧ユニット５０が設けられることになる。つまり、転倒時において、油圧ユニット５０が地面に接触する前に、ハンドル６またはメインフレーム９が地面に接触する。さらに、油圧ユニット５０が前輪ブレーキマスタシリンダに近接した位置に配置されるため、油圧ユニット５０と前輪ブレーキマスタシリンダとの間の油圧配管の長さを短くすることができる。したがって、自動二輪車１にとってより重要な前輪ブレーキ３６の反応を向上させることができる。
【００３０】
より具体的に説明する。本実施形態において、油圧ユニット５０は、左右一対のメインフレーム９の車幅方向一方側（右側）に配置される。左右一対のメインフレーム９の車幅方向他方側（左側）には、吸気管２０および各種電装品用のハーネスが配設される。また、油圧ユニット５０は、車幅方向中央線に対して、例えばレギュレータ、ジェネレータ等の電磁ノイズを発生する電装部品が配置されている側とは反対側に配置される。
【００３１】
また、左右一対のメインフレーム９は、それぞれ、上側フレーム９１と、下側フレーム９２とを備えている。上側フレーム９１と下側フレーム９２とは、一または複数のガセットメンバ９３を介して接続されている。より詳しくは、左右一対のメインフレーム９は、複数のフレーム部材を三角形状に組み合わせたトラス構造を有している。このような構成により、左右一対のメインフレーム９は、車幅方向に貫通する貫通孔を有している。
【００３２】
さらに、下側フレーム９２は、第１フレーム９２１と、第１フレーム９２１より下側に配設される第２フレーム９２２とを有している。第１フレーム９２１と第２フレーム９２２とは、一または複数のガセットメンバ９３を介して接続されている。メインフレーム９の最大幅領域９ａは、下側フレーム９２により規定される。すなわち、平面視において、下側フレーム９２は、上側フレーム９１より車幅方向に張り出した形状を有している。拡幅領域９ｂにおけるメインフレーム９の車両前後方向に対する角度は、ハンドル６の最大切れ角に基づいて定められる。すなわち、ハンドル６を最大限回動させた際に、メインフレーム９がハンドル６に干渉しないような形状となっている。
【００３３】
油圧ユニット５０は、下側フレーム９２の外側にブラケット５１を介して固定される。ブラケット５１は、第１フレーム９２１の上面に、ボルト等の固定部材を用いて固定するための第１固定部５１１（図２参照）と、第２フレーム９２２に設けられた取付け片に、ボルト等の固定部材を用いて固定するための第２固定部５１２（図３参照）とを備えている。本実施形態において、第１固定部５１１は、前後に並んで配置される２つの固定部材により第１フレーム９１２に固定され、第２固定部５１２は、１つの固定部材により第２フレーム９２２に固定される。前側の第１固定部５１１は、後側の第１固定部５１１よりも車幅方向内側に配置される。油圧ユニット５０の車幅方向内側面および車幅方向外側面は、２つの第１固定部５１１を結ぶ方向に平行に形成される。これにより、油圧ユニット５０をより車幅方向内側に配置することができる。
【００３４】
油圧ユニット５０は、電動制動用ＥＣＵ３３が収納されるＥＣＵ収納部５０１と、作動油が流れる経路に設けられるバルブ、オイルポンプおよび制動モータ等の構成が収納される油圧系収納部５０２とを有し、これらが一体的に形成された構造を有している。油圧系収納部５０２がＥＣＵ収納部５０１より車幅方向内方かつ車両前後方向前側に設けられる。油圧系収納部５０２が車幅方向内方に設けられることにより、仮に油圧ユニット５０が障害物と衝突した場合であっても、オイルポンプなどの油圧系を保護し易くすることができる。油圧系収納部５０２の車幅方向内方かつ車両前後方向前側には、制動モータが取り付けられている。なお、油圧ユニット５０は、少なくとも車幅方向外側面および上面がインナーカバー（図示せず）で覆われている。
【００３５】
なお、油圧ユニット５０には、上記構成に限られず、オイルポンプ（電動ポンプ）、蓄圧されたブレーキオイルの収容容器部分、制御弁が設けられる部分および制動用ＥＣＵが設けられる部分の少なくともいずれか１つが含まれる。本実施形態においては、上記のようにこれらの構成が一体となった構造を有している。しかし、これらの構成がそれぞれ別体に形成される構成であってもよい。また、前輪制動用の油圧ユニットと、後輪制動用の油圧ユニットとが別々に形成されてもよい。この場合、少なくとも一方の油圧ユニットが配置空間Ａ内に配置されればよい。
【００３６】
油圧ユニット５０は、２つの外側面により形成される角部を有し、この角部が、上記配置空間Ａ内に位置するように配置される。本実施形態においては、平面視において油圧ユニット５０の第１固定部５１１が取り付けられた辺（第１フレーム９２１に略平行かつ近接する側の辺）の車幅方向外方端において、ＥＣＵ収納部５０１の２つの外側面により角部５０ａが形成されており、この角部５０ａが配置空間Ａ内に位置している。なお、第１固定部５１１が取り付けられた辺の車両幅方向内方端に角部が形成される場合、当該角部のみが配置空間Ａ内に位置することとしてもよい。すなわち、水平面に対して垂直な２つの外側面によって形成される少なくとも１つの角部が配置空間Ａ内に位置することにより、油圧ユニット５０をより車幅方向内方に配置することができる。
【００３７】
油圧ユニット５０を支持するブラケット５１は、固定部５１１，５１２を除く本体部の形状が平面視矩形形状を有している。ブラケット５１は、当該矩形形状の一辺（第１固定部５１１が取り付けられた辺）がメインフレーム９の拡幅領域９ｂにおける長手方向に沿うように取り付けられている。このように、油圧ユニット５０を効率的に配置することにより油圧ユニット５０の全体をメインフレーム９の最大幅領域９ａよりなるべく車幅方向内方に収容することができる。
【００３８】
図４に示すように、油圧ユニット５０は、メインフレーム９の拡幅領域９ｂのうち、ハンドル６と前輪２との間に設けられるフロントフォーク４の回動軸（すなわち、ヘッドパイプ５の中心軸）回りの回動軌跡Ｒより径方向外側に、設けられている。この構成によれば、ハンドル６の切れ角が油圧ユニット５０によって制限されないようにすることができる。また、メインフレーム９の拡幅領域９ｂに配設される油圧ユニット５０の車両前後方向前側の側面がフロントフォーク４の回動軌跡Ｒの接線方向と略平行になるため、フロントフォーク４の回動軌跡Ｒに干渉しない範囲で油圧ユニット５０をなるべく車幅方向内方に配置することができる。
【００３９】
さらに、油圧ユニット５０は、重心が、メインフレーム９の最大幅領域９ａの外縁に沿って車両前後方向に延びる仮想線Ｘよりも内側の配置空間内に位置するように配置されている。なお、図２に示す例においては、油圧ユニット５０の全体が実質的に配置空間Ａ内に配置されている。すなわち、油圧ユニット５０は、外装の一部を除いて大部分が配置空間Ａ内に配置されている。これによっても、油圧ユニット５０に外部からの衝撃が加わり難くすることができる。さらに、油圧ユニット５０全体が配置空間Ａ内に配置されることが好ましい。
【００４０】
油圧ユニット５０は、油圧配管（前輪側油圧配管および後輪側油圧配管）を接続する接続ポート５３を備えている。接続ポート５３は、４つの油圧配管をそれぞれ接続するために４つ設けられる。これらの接続ポート５３のうちの少なくとも１つが配置空間Ａ内に位置することが好ましい。本実施形態において、４つの接続ポート５３は、上記配置空間Ａ内に位置するように配置される。この構成によれば、油圧ユニット５０における作動油の出入り口が、車幅方向に関してメインフレーム９の最大幅領域９ａより内側に位置される。これにより、油圧ユニット５０の接続ポート５３に外部からの衝撃が加わり難くすることができる。
【００４１】
また、接続ポート５３が油圧ユニット５０の上面に設けられる。これにより、４つの油圧配管を１つの面に配置しつつ、車両前後方向への油圧配管の取り回しを容易にすることができる。
【００４２】
さらに、接続ポート５３に接続される油圧配管のうち、接続ポート５３に接続される部分が金属配管で構成される場合、当該金属配管部分も配置空間Ａ内に配設されることが好ましい。油圧配管全体が仮想線Ｘより車幅方向内側に位置することが好ましい。
【００４３】
また、図２および図３に示すように、油圧ユニット５０に接続される４つの油圧配管のうち、後輪側油圧配管を構成する２つの油圧配管は、左右一対のメインフレーム９の外側から上記貫通孔を通じて左右一対のメインフレーム９の間に導入されるように配置される。より具体的には、後輪側油圧配管を構成する２つの油圧配管は、下側フレーム９２を構成する第１フレーム９２１および第２フレーム９２２と、両者の間に接続されるガセットフレーム９３とで区画される貫通孔を通じて左右一対のメインフレーム９の間に導入される。
【００４４】
左右一対のメインフレーム９の間に導入された２つの油圧配管は、当該メインフレーム９間を通じて車両後方へ延び、後輪側ブレーキマスタシリンダおよび後輪ブレーキキャリパ３８Ｂにそれぞれ接続される。
【００４５】
上記構成によれば、油圧配管をメインフレーム９の間に導入することにより、油圧配管を保護することができる。また、油圧配管をメインフレーム９の上方または下方に配設する必要がないため、油圧配管の長さを短くすることができ、油圧配管の湾曲も小さくすることができる。したがって、油圧制御を適切に行い、かつ、油圧制御の反応速度を高くすることを容易に実現することができる。
【００４６】
なお、本実施形態においては、下側フレーム９２の第１フレーム９２１と第２フレーム９２２との間に油圧配管が通過するように構成されているが、上側フレーム９１と下側フレーム９２（の第１フレーム９２１）との間に油圧配管が通過するように構成されてもよい。
【００４７】
さらに、接続ポート５３は、後述する第１フレーム９２１の上面よりも上方に配置される。これにより、第１フレーム９２１と油圧配管とが干渉することを防止でき、油圧ユニット５０から後方へ後側油圧配管を容易に配設することができる。
【００４８】
図３に示すように、油圧ユニット５０は、平面視において直進走行時におけるハンドル６とオーバーラップする位置に配置され、ハンドル６より下方に間隔を空けて配置される。より具体的には、油圧ユニット５０は、油圧ユニット５０の上面（図３の例においては接続ポート５３を含む）が上側フレーム９１より下方に位置するように、配設される。
【００４９】
上記構成によれば、ハンドル６の回動を妨げることなく、油圧ユニット５０をヘッドパイプ５に近づけることができる。これにより、油圧ユニット５０をなるべく自動二輪車１の車幅方向中央に配置することができる。また、ハンドル６の位置が比較的低い位置に設けられるスポーツバイク等においても、油圧ユニット５０がハンドル６と干渉することを防止することができる。
【００５０】
さらに、油圧ユニット５０は、側面視においてヘッドパイプ５の車両前後方向位置と、オーバーラップする位置に配置される。
【００５１】
また、油圧ユニット５０は、冷却水を冷却するラジエータ３２より上方に位置する。ラジエータ３２は、前輪２の後方かつエンジンＥの前方に配置される。油圧ユニット５０をラジエータ３４の前後方向を避けて配置することにより、ラジエータ３４で発生する熱の影響を受け難くすることができる。さらに、油圧ユニット５０とラジエータ３２との間には、断熱カバー（図示せず）が設けられてもよい。これにより、アイドリング時等の非走行時にラジエータ３２からの熱が油圧ユニット５０に上がってくるのを防止することができる。
【００５２】
なお、ラジエータ３２は、上部に冷却水の補充を行うための開口部を塞ぐためのラジエータキャップ３２Ａを備えている。油圧ユニット５０は、ラジエータキャップ３２Ａとずれた位置、具体的には、ラジエータキャップ３２Ａより後方に配置されている。これにより、油圧ユニット５０とラジエータキャップ３２Ａとが干渉せず、冷却水の補充や油圧ユニット５０の交換等の作業性を向上させることができる。
【００５３】
ここで、本実施形態における前輪ブレーキ３６について説明する。図５は本実施形態における自動二輪車の前輪周辺を示す部分側面図である。図５に示すように、前輪ブレーキディスク３６Ａは、前輪２を構成するホイール２Ａに相対回転不能に固定されている。前輪車速センサユニット３４は、前輪２を軸支する車両本体側（フロントフォーク４）に固定される車速センサ本体３４Ａと、ホイール２Ａに相対回転不能に固定された車速センサ用ロータ板３４Ｂとを有している。前輪車速センサユニット３４は、例えばロータリエンコーダとして構成される。
【００５４】
前輪ブレーキディスク３６Ａと車速センサ用ロータ板３４Ｂとは、前輪の回転軸（前輪車軸）２Ｂの周方向全域にわたって径方向に離間して配置される。より具体的には、前輪ブレーキディスク３６Ａと車速センサ用ロータ板３４Ｂとは、前輪車軸２Ｂと同軸に配置される。さらに、前輪ブレーキディスク３６Ａの内径は、車速センサ用ロータ板３４Ｂの外径より大きいように構成されている。ホイール２Ａは、例えばアルミ合金等の前輪ブレーキディスク３６Ａおよび車速センサ用ロータ板３４Ｂとは異なる材料で形成される。具体的には、ホイール２Ａは、前輪ブレーキディスク３６Ａおよび車速センサ用ロータ板３４Ｂより熱伝導率の高い材料で形成されている。すなわち、前輪ブレーキディスク３６Ａおよび車速センサ用ロータ板３４Ｂは、熱伝導率がより高いホイール２Ａを介して接続されている。なお、前輪ブレーキディスク３６Ａと車速センサ用ロータ板３４Ｂとは、ホイール２Ａに直接固定される、または、ホイール２Ａに固定されるボス部材（図示せず）を介して固定される。
【００５５】
上記構成によれば、前輪ブレーキディスク３６Ａと車速センサ用ロータ板３４Ｂとが直接接触しない。より詳しくは、前輪ブレーキディスク３６Ａで発生した摩擦熱がホイール２Ａで放熱される。
【００５６】
このため、前輪ブレーキディスク３６Ａで生じる摩擦熱を車速センサ用ロータ板３４Ｂに伝わり難くすることができる。したがって、前輪車速の測定を行う車速センサ用ロータ板３４Ｂの熱による膨張や歪みを防止することができる。したがって、熱による車速計測精度の悪化を防止することができる。
【００５７】
なお、本実施形態においては、前輪２に設けられる前輪ブレーキディスク３６Ａおよび前輪車速センサユニット３４について説明したが、後輪３に設けられる後輪ブレーキディスク３８Ａおよび後輪車速センサユニット３５についても、上記と同様の構成を適用することができる。
【００５８】
以上、本発明の実施の形態について説明したが、本発明は上記実施形態に限定されるものではなく、その趣旨を逸脱しない範囲内で種々の改良、変更、修正が可能である。
【００５９】
例えば、本実施形態において、油圧ユニット５０は、アンチロック動作および連動制動動作を行わせる電動ブレーキ装置用のユニットとして構成される。しかし、本発明はこれに限られない。例えば、油圧ユニットは、アンチロック動作および連動制動動作の何れか一方のみを行わせるユニットとして構成されてもよい。また、例えば、トラクションコントロール、ウィリー防止制御等、制動制御に必要なブレーキ圧を油圧により制御するためのユニットとして構成されてもよい。また、本実施形態において、油圧ユニット５０は、前輪２および後輪３の双方の制動制御を支援するためのユニットとして構成される。しかし、本発明はこれに限られず、前輪２および後輪３の何れか一方の制動制御を支援するためのユニットとして構成されてもよい。
【産業上の利用可能性】
【００６０】
本発明は、アンチロック動作または連動制動動作等の油圧制御動作を行うための油圧ユニットを備える自動二輪車において、メインフレームの内側に他の部品のためのスペースを設けるとともに、油圧ユニットに外部からの衝撃が加わり難いようにするために有用である。
【符号の説明】
【００６１】
１  自動二輪車
２  前輪
４  フロントフォーク
５  ヘッドパイプ
６  ハンドル
９  メインフレーム
９ａ  最大幅領域
９ｂ  拡幅領域
３２  ラジエータ
３４  前輪車速センサユニット
３４Ａ  車速センサ本体
３４Ｂ  車速センサ用ロータ板
３４Ｃ  貫通孔
３６Ａ  前輪ブレーキディスク
５０  油圧ユニット
５３  接続ポート
【図１】
2015079478.tif 000003
【図２】
2015079478.tif 000004
【図３】
2015079478.tif 000005
【図４】
2015079478.tif 000006
【図５】
2015079478.tif 000007
【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
ハンドルの車体に対する回動軸を軸支するヘッドパイプと、
前記ヘッドパイプから車両前後方向に延びる左右一対のメインフレームと、
前記左右一対のメインフレームの何れか一方に取り付けられる油圧ユニットとを備え、
前記左右一対のメインフレームは、前記ヘッドパイプから当該メインフレームの最大幅領域に向けて斜め後方に拡がるような拡幅領域を有し、
前記油圧ユニットは、前記メインフレームの外側かつ前記拡幅領域に取り付けられる、自動二輪車。
【請求項２】
前記油圧ユニットは、全体または重心が、前記最大幅領域の外縁に沿って車両前後方向に延びる仮想線よりも内側の配置空間内に位置するように配置される、請求項１に記載の自動二輪車。
【請求項３】
前記油圧ユニットは、油圧配管を接続する接続ポートを備え、
前記接続ポートは、前記最大幅領域の外縁に沿って車両前後方向に延びる仮想線よりも内側の配置空間内に位置するように配置される、請求項１または２に記載の自動二輪車。
【請求項４】
前記油圧ユニットは、前記拡幅領域のうち、前記ハンドルと前輪との間に設けられるフロントフォークの前記回動軸回りの回動軌跡より径方向外側に設けられ、前記油圧ユニットの車幅方向内側面の一部は、前記回動軌跡の車幅方向最外端より車幅方向内側に位置する、請求項１から３の何れかに記載の自動二輪車。
【請求項５】
前記油圧ユニットは、平面視において、直進走行時におけるハンドルとオーバーラップする位置に配置され、前記ハンドルより下方に間隔を空けて配置される、請求項１から４の何れかに記載の自動二輪車。
【請求項６】
前記左右一対のメインフレームのうちの少なくとも一方には、車幅方向に貫通する貫通孔が設けられ、
前記油圧ユニットに接続される油圧配管は、前記左右一対のメインフレームの外側から前記貫通孔を通じて前記左右一対のメインフレームの間に導入されるように配置される、請求項１から５の何れかに記載の自動二輪車。
【請求項７】
冷却水を冷却するためのラジエータを備え、
前記油圧ユニットは、前記ラジエータより上方に位置する、請求項１から６の何れかに記載の自動二輪車。
【請求項８】
前記油圧ユニットの車幅方向外側面は、前方に進むにつれて車幅方向内方に向かうように車両前後方向に対して傾斜している、請求項１〜７の何れかに記載の自動二輪車。
【国際調査報告】
2015079478.tif 000008
2015079478.tif 000009
2015079478.tif 000010
2015079478.tif 000011